(57)【要約】【課題】  熱による透光パネルの寸法変化を確実に抑制した照明器具を提供する。【解決手段】  照明器具１は本体２と透光パネル３とから構成され、透光パネル３を本体２に取り付ける際には、透光パネル３を本体２の開口部２０ａに下方から当接させて、透光パネル３に上方向の押圧力を加えることで、透光パネル３に設けた係止爪６ａ〜６ｅが、本体２に設けたスリット孔５ａ〜５ｅに各々係止して、透光パネル３が本体２に保持される。さらに透光パネル３に設けた切欠き部８ａ，８ｂが、本体２に設けたリブ７ａ，７ｂに嵌合する。【選択図】図１
2005228651.tif 000002
【特許請求の範囲】
【請求項１】
開口部を設けて内部に光源が収納された本体と、前記本体の開口部に覆設される透光パネルとを備え、前記開口部の周縁部は互いに対向する長手方向の２つの縁端部と互いに対向する短手方向の２つの縁端部とで構成され、前記透光パネルの周縁部は互いに対向する長手方向の２つの縁端部と互いに対向する短手方向の２つの縁端部とで構成されるもので、前記開口部の長手方向の縁端部に沿って設けられた前記本体の内壁にスリット孔を穿設し、前記透光パネルの長手方向の縁端部に係止爪を設けて、前記スリット孔に前記係止爪が係止することで前記本体が前記透光パネルを保持する照明器具において、
前記透光パネルの短手方向の各縁端部と、前記開口部の短手方向の各縁端部に沿って設けられて前記透光パネルの短手方向の各縁端部に対向する前記本体の各内壁とのうち、一方に切欠き部を各々設け、他方に前記各切り欠き部に嵌合するリブを各々設けることを特徴とする照明器具。
【請求項２】
前記開口部の一方の長手方向の縁端部に沿って設けられた前記本体の内壁に穿設される前記スリット孔の数と、前記開口部の他方の長手方向の縁端部に沿って設けられた前記本体の内壁に穿設される前記スリット孔の数とは互いに異なり、前記透光パネルの一方の長手方向の縁端部に設けられた前記係止爪の数と、前記透光パネルの他方の長手方向の縁端部に設けられた前記係止爪の数とは互いに異なることを特徴とする請求項１記載の照明器具。
【請求項３】
前記透光パネルの一方の長手方向の縁端部に設けられた前記係止爪と、前記透光パネルの他方の長手方向の縁端部に設けられた前記係止爪とは、前記スリット孔に係止する係り代が互いに異なることを特徴とする請求項２記載の照明器具。
【発明の詳細な説明】
【技術分野】
【０００１】
本発明は、本体に透光パネルを取り付ける照明器具に関するものである。
【背景技術】
【０００２】
図７は本実施形態の照明器具を示す分解斜視図であり、照明器具１０１は本体１０２と透光パネル１０３とから構成され、本体１０２は、下面に略矩形の凹部１２０を設けて、凹部１２０内の長手方向の両端にはソケット１０４が各々配置され、ソケット１０４間には直管型の蛍光ランプＬａが長手方向に装着される。凹部１２０は、略矩形の開口部１２０ａと、開口部１２０ａの互いに対向する長手方向の縁端部に沿って形成される内壁１２１，１２２と、開口部１２０ａの互いに対向する短手方向の縁端部に沿って形成される内壁１２３，１２４と、底面１２５とで構成される（図７において内壁１２２，１２４、底面１２５は不図示）。
【０００３】
透光パネル１０３は下方に湾曲した円弧状の断面形状を有する略矩形に形成され、その周縁部は互いに対向する長手方向の縁端部１３１，１３２と、互いに対向する短手方向の縁端部１３３，１３４とから構成されて、開口部１２０ａに覆設される。
【０００４】
次に、透光パネル１０３を本体１０２に取り付ける構造について説明する。本体１０２の内壁１２１の下端近傍には、３つの矩形のスリット孔１０５ａ，１０５ｂ，１０５ｃが長手方向に配設され、内壁１２２の下端近傍には、３つの矩形のスリット孔１０５ｄ，１０５ｅ，１０５ｆが長手方向に配設されており、スリット孔１０５ａとスリット孔１０５ｄ、スリット孔１０５ｂとスリット孔１０５ｅ、スリット孔１０５ｃとスリット孔１０５ｆは、互いに各々短手方向に対向している。
【０００５】
透光パネル１０３の縁端部１３１には、略Ｌ字状に形成されて側方に突出した３つの係止爪１０６ａ，１０６ｂ，１０６ｃが長手方向に配設されており、縁端部１３２には、略Ｌ字状に形成されて側方に突出した３つの係止爪１０６ｄ，１０６ｅ，１０６ｆが長手方向に配設されており、係止爪１０６ａと係止爪１０６ｄ、係止爪１０６ｂと係止爪１０６ｅ、係止爪１０６ｃと係止爪１０６ｆは、互いに短手方向に各々対向している。なお、係止爪１０６ａ〜１０６ｆは同一の係り代Ｌ７（図９参照）に各々形成される。
【０００６】
そして、本体１０２と透光パネル１０３との各長手方向を互いに合わせ、透光パネル１０３を本体１０２の開口部１２０ａに下方から当接させて、透光パネル１０３に上方向の押圧力を加えることで、透光パネル１０３に設けた係止爪１０６ａ〜１０６ｆが、本体１０２に設けたスリット孔１０５ａ〜１０５ｆに各々係止して、透光パネル１０３が本体１０２に保持される。図８は透光パネル１０３が本体１０２に保持されたときの図７のＦ−Ｆ’断面を示しており、係止爪１０６ａがスリット孔１０５ａに係止し、係止爪１０６ｄがスリット孔１０５ｄに係止するとともに、スリット孔１０５ａ，１０５ｄの各下端が係止爪１０６ａ，１０６ｄの各下方に設けた凹部１６０ａ，１６０ｄに嵌合している。図７のＧ−Ｇ’断面における係止爪１０６ｂ，１０６ｅとスリット孔１０５ｂ，１０５ｅとの各係止状態、及びＨ−Ｈ’断面における係止爪１０６ｃ，１０６ｆとスリット孔１０５ｃ，１０５ｆとの各係止状態も図８と同様となる。
【０００７】
このように、本体１０２の内壁にスリット孔を穿設し、透光パネル１０３の縁端部に係止爪を設けて、スリット孔に係止爪が係止することで本体１０２が透光パネル１０３を保持する照明器具がある。（例えば、特許文献１参照）。
【特許文献１】特開平８−２４１６１２号公報（段落番号［００１８］、図１）
【発明の開示】
【発明が解決しようとする課題】
【０００８】
本体１０２への透光パネル１０３の取り付けにねじを用いると着脱作業が面倒であるとともに、取り付け後、ねじ頭が突出することは意匠上も好ましくない。上記従来例は、透光パネル１０３に設けた係止爪１０６ａ〜１０６ｆと本体１０２に設けたスリット孔１０５ａ〜１０５ｆとによる係止構造により、透光パネル１０３を本体１０２に着脱自在とすることでこの課題を解決しているが、蛍光ランプＬａの発熱による透光パネル１０３の寸法変化によって、透光パネル１０３の落下や、透光パネル１０３の着脱性の低下が生じないように設計する必要がある。
【０００９】
特に図９に示すように、透光パネル１０３が下方に湾曲した円弧状の断面形状の場合、透光パネル１０３の係止爪間の長さＬ５、透光パネル１０３の湾曲部下面の幅方向の長さＬ６とすると、蛍光ランプＬａの発熱によって長さＬ６は膨張し、長さＬ５は収縮しようとする。
【００１０】
したがって従来例において、透光パネル１０３は、蛍光ランプＬａの発熱による熱変形によって落下しないように、係止爪間の長さＬ５、湾曲部下面の幅方向の長さＬ６、係止爪の係り代Ｌ７を設定する際には、熱による寸法変化だけでなく、製造時の成形条件等も考慮しなければならず、非常に厳密な寸法設計が必要となる。
【００１１】
本発明は、上記事由に鑑みてなされたものであり、その目的は、熱による透光パネルの寸法変化を抑制した照明器具を提供することにある。
【課題を解決するための手段】
【００１２】
請求項１の発明は、開口部を設けて内部に光源が収納された本体と、前記本体の開口部に覆設される透光パネルとを備え、前記開口部の周縁部は互いに対向する長手方向の２つの縁端部と互いに対向する短手方向の２つの縁端部とで構成され、前記透光パネルの周縁部は互いに対向する長手方向の２つの縁端部と互いに対向する短手方向の２つの縁端部とで構成されるもので、前記開口部の長手方向の縁端部に沿って設けられた前記本体の内壁にスリット孔を穿設し、前記透光パネルの長手方向の縁端部に係止爪を設けて、前記スリット孔に前記係止爪が係止することで前記本体が前記透光パネルを保持する照明器具において、前記透光パネルの短手方向の各縁端部と、前記開口部の短手方向の各縁端部に沿って設けられて前記透光パネルの短手方向の各縁端部に対向する前記本体の各内壁とのうち、一方に切欠き部を各々設け、他方に前記各切り欠き部に嵌合するリブを各々設けることを特徴とする。
【００１３】
この発明によれば、切欠き部がリブに嵌合することで、熱による透光パネルの寸法変化が抑制され、透光パネルの落下や透光パネルの着脱性の低下を防止できる。
【００１４】
請求項２の発明は、請求項１において、前記開口部の一方の長手方向の縁端部に沿って設けられた前記本体の内壁に穿設される前記スリット孔の数と、前記開口部の他方の長手方向の縁端部に沿って設けられた前記本体の内壁に穿設される前記スリット孔の数とは互いに異なり、前記透光パネルの一方の長手方向の縁端部に設けられた前記係止爪の数と、前記透光パネルの他方の長手方向の縁端部に設けられた前記係止爪の数とは互いに異なることを特徴とする。
【００１５】
この発明によれば、透光パネルを本体に誤った向きに取り付けようとした場合には透光パネルの係止爪の数と本体のスリット孔との数が互いに異なるため、透光パネルを本体に誤った向きに取り付けることができない。
【００１６】
請求項３の発明は、請求項２において、前記透光パネルの一方の長手方向の縁端部に設けられた前記係止爪と、前記透光パネルの他方の長手方向の縁端部に設けられた前記係止爪とは、前記スリット孔に係止する係り代が互いに異なることを特徴とする。
【００１７】
この発明によれば、透光パネルの一方の側に設けられた係止爪の係り代と、透光パネルの他方の側に設けられた係止爪の係り代とが互いに異なるため、透光パネルの一方の側に設けられた係止爪の数と透光パネルの他方の側に設けられた係止爪の数とが互いに異なることを認識し易くなり、透光パネルを本体に誤った向きに取り付けることを確実に防止することができる。
【発明の効果】
【００１８】
以上説明したように、本発明では、リブを切欠き部に嵌合させることで、熱による透光パネルの寸法変化を抑制することができるという効果がある。
【発明を実施するための最良の形態】
【００１９】
以下、本発明の実施の形態を図面に基づいて説明する。
【００２０】
（実施形態）
図１は本実施形態の照明器具を示す分解斜視図であり、照明器具１は本体２と透光パネル３とから構成され、本体２は、下面に略矩形の凹部２０を設けて、凹部２０内の長手方向の両端にはソケット４が各々配置され、ソケット４間には直管型の蛍光ランプＬａが長手方向に装着される。凹部２０は、略矩形の開口部２０ａと、開口部２０ａの互いに対向する長手方向の縁端部に沿って形成される内壁２１，２２と、開口部２０ａの互いに対向する短手方向の縁端部に沿って形成される内壁２３，２４と、底面２５とで構成される（図１において内壁２２，２４、底面２５は不図示）。
【００２１】
透光パネル３は下方に湾曲した円弧状の断面形状を有する略矩形に形成され、その周縁部は互いに対向する長手方向の縁端部３１，３２と、互いに対向する短手方向の縁端部３３，３４とから構成されて、開口部２０ａに覆設される。
【００２２】
次に、透光パネル３を本体２に取り付ける構造について説明する。本体２の内壁２１の下端近傍には、３つの矩形のスリット孔５ａ，５ｂ，５ｃが長手方向に配設され、内壁２２の下端近傍には、２つの矩形のスリット孔５ｄ，５ｅが長手方向に配設されており、スリット孔５ａとスリット孔５ｄ、及びスリット孔５ｃとスリット孔５ｅは、互いに短手方向に各々対向している。さらに、内壁２３の下端近傍には図２に示すように、凹部２０内に突出した直方体状のリブ７ａが内壁２２近傍に形成され、内壁２４の下端近傍には、凹部２０内に突出した直方体状の図示されていないリブ７ｂが内壁２２近傍に形成されている。
【００２３】
透光パネル３の縁端部３１には、略Ｌ字状に形成されて側方に突出した３つの係止爪６ａ，６ｂ，６ｃが長手方向に配設されており、縁端部３２には、略Ｌ字状に形成されて側方に突出した２つの係止爪６ｄ，６ｅが長手方向に配設されており、係止爪６ａと係止爪６ｄ、及び係止爪６ｃと係止爪６ｅは、互いに各々短手方向に対向している。さらに、縁端部３３，３４の各上面には断面コの字の切欠き部８ａ，８ｂが縁端部３２近傍に各々形成されている。
【００２４】
そして、本体２と透光パネル３との各長手方向を互いに合わせ、透光パネル３を本体２の開口部２０ａに下方から当接させて、透光パネル３に上方向の押圧力を加えることで、透光パネル３に設けた係止爪６ａ〜６ｅが、本体２に設けたスリット孔５ａ〜５ｅに各々係止して、透光パネル３が本体２に保持される。
【００２５】
図３は透光パネル３が本体２に保持されたときの図１のＡ−Ａ’断面を示しており、透光パネル３に設けた切欠き部８ｂが、本体２に設けたリブ７ｂに嵌合している。このときリブ７ｂの内壁２２側の面７０ｂは、切欠き部８ｂの縁端部３２側の面８０ｂに当接している。図１のＢ−Ｂ’断面におけるリブ７ａと切欠き部８ａとの嵌合状態も図３と同様であり、リブ７ａの内壁２２側の面は、切欠き部８ａの縁端部３２側の面に当接している。したがって、図４に示すように、透光パネル３の係止爪間の長さＬ１、透光パネル３の湾曲部下面の幅方向の長さＬ２とすると、蛍光ランプＬａの発熱によって長さＬ２は膨張し、長さＬ１は収縮しようとするが、切欠き部８ａ，８ｂに各々嵌合したリブ７ａ，７ｂによって長さＬ１の収縮が規制されるので、熱による寸法変化が抑制されて、透光パネル３の落下や、透光パネル３の着脱性の低下を防止している。
【００２６】
透光パネル３の収縮を規制する上記機能は、リブ７ａ，７ｂが切欠き部８ａ，８ｂに嵌合しなければならず、透光パネル３の縁端部３１を本体２の内壁２１側に取り付け、縁端部３２を本体２の内壁２２側に取り付ける必要がある。そのため本実施形態では、本体２の内壁２１には３つのスリット孔５ａ，５ｂ，５ｃを設け、内壁２２には２つのスリット孔５ｄ，５ｅを設け、また透光パネル３の縁端部３１には３つの係止爪６ａ，６ｂ，６ｃを設け、縁端部３２には２つの係止爪６ｄ，６ｅを設けることで、透光パネル３の縁端部３１を本体２の内壁２２に取り付けようとしても、係止爪６ｂに対応するスリット孔が存在せず、縁端部３１を内壁２２に取り付け不可能な構造としている。
【００２７】
また、従来例のように、係止爪がスリット孔に係止する係り代が全ての係止爪６ａ〜６ｅで同じ寸法である場合、透光パネル３を本体２の開口部２０ａに下方から当接させて、透光パネル３に上方向の押圧力を加えると、透光パネル３の縁端部３１が本体２の内壁２２側にある場合でも、透光パネル３の縁端部３３，３４が本体２に設けたリブ７ａ，７ｂに乗り上げた状態で、透光パネル３が本体２に取り付く恐れがあり、このような状態で使用すると透光パネル３の変形、あるいは落下の要因となる。そこで本実施形態では、図４に示すように、透光パネル３の縁端部３１に設けた３つの係止爪６ａ，６ｂ，６ｃがスリット孔５ａ，５ｂ，５ｃに各々係止する係り代Ｌ３を、縁端部３２に設けた２つの係止爪６ｄ，６ｅがスリット孔５ｄ，５ｅに各々係止する係り代Ｌ４より長く設定している。そして、透光パネル３を本体２に取り付ける際には、まず透光パネル３の３つの係止爪６ａ，６ｂ，６ｃをスリット孔５ａ，５ｂ，５ｃに各々挿入、係止させ、その後、透光パネル３に上方向の押圧力を加えることによって、透光パネル３の２つの係止爪６ｄ，６ｅをスリット孔５ｄ，５ｅに各々係止させている。したがって取付時に、透光パネル３の縁端部３１に設けられた係止爪の数と透光パネル３の縁端部３２に設けられた係止爪の数とが互いに異なることを認識し易くなり、透光パネル３を誤まった方向で本体２に取り付けることをより確実に防止できる。
【００２８】
図５は透光パネル３が本体２に保持されたときの図１のＣ−Ｃ’断面を示しており、長い係り代Ｌ４を有する係止爪６ａがスリット孔５ａに係止し、短い係り代Ｌ３を有する係止爪６ｄがスリット孔５ｄに係止するとともに、スリット孔５ａ，５ｄの各下端が係止爪６ａ，６ｄの各下方に設けた凹部６０ａ，６０ｄに嵌合している。図２のＤ−Ｄ’断面における係止爪６ｃ，６ｅとスリット孔５ｃ，５ｅとの各係止状態も図５と略同様となる。
【００２９】
図６は透光パネル３が本体２に保持されたときの図１のＥ−Ｅ’断面を示しており、長い係り代Ｌ４を有する係止爪６ｂがスリット孔５ｂに係止するとともに、スリット孔５ｂの下端が係止爪６ｂの下方に設けた凹部６０ｂに嵌合し、透光パネル３の縁端部３２が、内壁２２の下端近傍に設けられた短手方向の段部２２ａに当接している。
【図面の簡単な説明】
【００３０】
【図１】本発明の実施形態の照明器具を示す分解斜視図である。
【図２】同上の一部拡大図である。
【図３】同上の照明器具のＡ−Ａ’断面図である。
【図４】同上の透光パネルのＣ−Ｃ’断面図である。
【図５】同上の照明器具のＣ−Ｃ’断面図である。
【図６】同上の照明器具のＥ−Ｅ’断面図である。
【図７】従来の照明器具を示す分解斜視図である。
【図８】同上の照明器具のＦ−Ｆ’断面図である。
【図９】同上の透光パネルのＦ−Ｆ’断面図である。
【符号の説明】
【００３１】
１  照明器具
２  本体
３  透光パネル
４  ソケット
５ａ〜５ｅ  スリット孔
６ａ〜６ｅ  係止爪
７ａ，７ｂ  リブ
８ａ，８ｂ  切欠き部
２０  凹部２０
２０ａ  開口部
２１〜２４  内壁
２５  底面
３１〜３４  縁端部
Ｌａ  蛍光ランプ
【図１】
2005228651.tif 000003
【図２】
2005228651.tif 000004
【図３】
2005228651.tif 000005
【図４】
2005228651.tif 000006
【図５】
2005228651.tif 000007
【図６】
2005228651.tif 000008
【図７】
2005228651.tif 000009
【図８】
2005228651.tif 000010
【図９】
2005228651.tif 000011